(57)【要約】【課題】防波堤等の波浪制御構築物を構築している海底地盤の液状化による沈下、埋没を抑制することが可能な波浪制御構築物とその構築方法を提供する。【解決手段】海底地盤ＳＢ上に積み上げられた相対的に比重の小さい低比重ブロック１１からなる低比重ブロック層１０と、当該低比重ブロック層１０の表面を覆うように積み上げた相対的に比重の大きな高比重ブロック２１からなる高比重ブロック層２０とを含む複層構造の波浪制御構築物とする。低比重ブロックは少なくともセメント、微粉体、水を主材料とする硬化体で構成される。高比重ブロックのみで構成されている波浪制御構築物と同じ規模の波浪制御構築物を構築した場合には、当該構築物の全重量が低減でき、海底地盤が液状化した場合でも波浪制御構築物の沈下、埋没が抑制される。【選択図】  図１
2004162451.tif 000002
【特許請求の範囲】
【請求項１】
海底地盤上に構築され、防波ないし消波を目的とする防波堤、消波堤、人工リーフ等の波浪制御構築物であって、相対的に比重の小さいブロックを海底面上に積み上げた低比重層と、前記低比重層の表面を覆うように積み上げた相対的に比重の大きなブロック又は石からなる高比重層とを含む複層構造に構成されていることを特徴とする波浪制御構築物。
【請求項２】
前記低比重のブロックは少なくともセメントや石膏等の硬化材、石炭灰や焼却灰等の微粉体、海水や真水等の水を主材料とする硬化体で構成されていることを特徴とする請求項１に記載の波浪制御構築物。
【請求項３】
高比重のブロック又は石が積み上げられて構築されている第１の波浪制御構築物に沿ってそれよりも高さの低い第２の波浪制御構築物を構築するに際し、前記第１の波浪制御構築物に隣接する領域の海底面上に前記高比重のブロック又は石よりも低比重のブロックを積み上げて低比重層を形成する工程と、前記低比重層上に前記第１の波浪制御構築物の上部領域を取り崩して得た前記高比重のブロック又は石と、この高比重のブロック又は石と同程度の新たな高比重のブロック又は石とを積み上げて高比重層とを形成する工程とを含むことを特徴とする波浪制御構築物の構築方法。
【請求項４】
前記低比重のブロックは少なくともセメントや石膏等の硬化材、石炭灰や焼却灰等の微粉材、海水や真水等の水を主材料とする硬化体で構成されていることを特徴とする請求項３に記載の波浪制御構築物の構築方法。
【発明の詳細な説明】
【０００１】
【発明の属する技術分野】
本発明は海岸の前面海域に構築する消波堤、潜堤、人工リーフ等の波浪制御構築物に関し、特に多数個のブロックや石を積み上げて構築する波浪制御構築物及びその構築方法に関するものである。
【０００２】
【従来の技術】
海岸浸食対策として、対象海岸の前面海域に多数個の自然石やコンクリートブロック（以下、コンクリートブロック等と称する）を天端（上部面）が海面上に突出する高さにまで積み重ねて防波堤、消波堤、潜堤等を構築することが行われている。また、近年では天端が海面上に突出することがない構成の人工リーフ等の構築物も提案されている。いずれにしても、従来のこの種の構築物（ここではこれらの構築物を波浪制御構築物と称する）は、特許文献１にも記載されているように、多数個の捨石（自然石）等を海底地盤に低く積み上げてマウンドを形成し、このマウンド上に波力によっても移動されることがないように大型でかつ高重量の多数個の普通コンクリートブロック等を積み上げた構成がとられている。あるいは、マウンドを形成することなく、海底上に直接にコンクリートブロック等を積み上げた構成がとられている。例えば、図６（ａ）は消波堤１００Ａの例であり、海底地盤ＳＢに捨石２を配設して形成したマウンド１上に上部が海面ＳＳ上に突出する高さまでコンクリートブロック等２２を積み上げている。また、図６（ｂ）は人工リーフ２００Ａの例であり、海底地盤ＳＢ上に直接海面ＳＳよりも低い高さにコンクリートブロック等２２を積み上げている。
【０００３】
【特許文献１】
特開平１１−２６９８４９号公報
【０００４】
【発明が解決しようとする課題】
ところで、このような従来の波浪制御構築物に用いられるコンクリートブロック等は比重が高いものが用いられており、例えば自然石の比重は２．５〜３．０程度、普通コンクリートブロックの比重は２．２〜２．４、重量コンクリートブロックの比重はこれよりも大きな比重となっている。そのため、砕波帯付近でこのような比重の大きなコンクリートブロック等を用いて波浪制御構築物を構築すると、波により繰り返し起こる間隙水圧の変動によって生じる振動で海底の砂質地盤が液状化する現象が生じ易くなる。液状化した砂質地盤では、当該砂質地盤の比重よりも大きなコンクリートブロック等は砂質地盤に沈下、埋没し、波浪制御構築物の天端高さが低下してしまい、設計した通りの防波効果や消波効果が得られなくなる。したがって、従来では天端の高さを定期的に観測し、天端が低下したときにはコンクリートブロック等の積み増しを行って嵩上げを行っており、そのための管理が面倒になるとともに不経済なものとなる。
【０００５】
また、従来の防波堤や消波堤は消波効率を高めるためにコンクリートブロック等の天端が海面上に突出されるように設計、構築しているため、海岸から見たときにこれらの波浪制御構築物が水平線を遮ることになり、海岸からの景観を損ねる要因ともなっている。そのため、近年では天端が海面上に突出することがない人工リーフ等に改築することが考えられているが、その場合には、既に構築してある防波堤や消波堤を一旦取り壊し、その上で改めてコンクリートブロック等を積み直して人工リーフ等に改修する必要があり、作業が極めて困難で高費用がかかることになる。
【０００６】
本発明の目的は液状化による沈下、埋没を抑制することが可能な波浪制御構築物を提供するものである。また、本発明の他の目的は既に構築されている防波堤等の海面上に突出する波浪制御構築物を人工リーフ等の景観を損なうことがない波浪制御構築物に容易に改修することが可能な構築方法を提供するものである。
【０００７】
【課題を解決するための手段】
本発明は海底地盤上に構築され、防波ないし消波を目的とする防波堤、消波堤、人工リーフ等の波浪制御構築物であって、相対的に比重の小さい低比重のブロックを海底面上に積み上げた低比重層と、当該低比重層の表面を覆うように積み上げた相対的に比重の大きな高比重のブロック又は石からなる高比重層とを含む複層構造に構成されていることを特徴とする。ここで、低比重のブロックは少なくともセメントや石膏等の硬化材、石炭灰や焼却灰等の微粉材、海水や真水等の水を主材料とする硬化体で構成されることが好ましい。
【０００８】
また、本発明の波浪制御構築物の製造方法は、高比重のブロック又は石が積み上げられて構築されている第１の波浪制御構築物に沿ってそれよりも高さの低い第２の波浪制御構築物を構築するに際し、前記第１の波浪制御構築物に隣接する領域に前記高比重のブロック又は石よりも低比重のブロックを積み上げて低比重層を形成する工程と、前記低比重層上に前記第１の波浪制御構築物の上部領域を取り崩して得た前記高比重のブロック又は石と、この高比重のブロック又は石と同程度の新たな高比重のブロック又は石とを積み上げて高比重層とを形成する工程とを含むことを特徴とする。ここでも、低比重のブロックは少なくともセメントや石膏等の硬化材、石炭灰や焼却灰等の微粉体、海水や真水等の水を主材料とする硬化体で構成されることが好ましい。
【０００９】
本発明の波浪制御構築物は、高比重層が普通コンクリート、重量コンクリート、石炭灰等に金属スラグ等を混合した硬化体等の高比重ブロック、あるいは高比重の自然石であり、低比重層はそれよりも低比重の石炭灰や焼却灰等の微粉体を用いた硬化体等の低比重ブロックで構成されているため、高比重のブロック又は石のみで構成されている波浪制御構築物と同じ規模の波浪制御構築物を構築した場合には、当該構築物の全重量が低減でき、海底地盤における単位面積当たりの重量を低減することが可能になる。そのため、海底地盤での液状化が発生し難くなり、また液状化した場合でも波浪制御構築物が砂質地盤に沈下、埋没することが抑制される。また、波浪制御構築物の表面はこれまでと同様に高比重のブロック又は石で構成されているため、波によってブロックや石が移動されるようなこともなく、従来の波浪構築物と同等な強度及び耐久性が得られる。
【００１０】
また、本発明の構築方法では、既存の波浪制御構築物に代えて別な構成の新たな波浪制御構築物を構築する際に、既存の波浪制御構築物を利用して低比重層を形成し、高比重層を形成する際には既存の波浪制御構築物の高比重材料を利用するため、新たな波浪制御構築物を構築する際の作業工程数を低減し、かつ所定の位置に安定した状態で新たな波浪制御構築物を構築することが可能になる。
【００１１】
【発明の実施の形態】
次に、本発明の実施形態を図面を参照して説明する。図１は本発明を防波堤に適用した第１の実施形態の断面図である。海岸の前面海域の砂質の海底地盤ＳＢに自然石による捨石２を低い高さに積み上げてマウンド１が形成される。このマウンド１自体はこれまでの防波堤等の波浪制御構築物を構築する場合に形成しているマウンドと同じである。そして、前記マウンド１上に低比重材料として、ここでは低比重ブロック１１が積み上げられ、構築しようとする防波堤の幅寸法及び天端高さの５０〜８０％程度の幅及び高さの低比重ブロック層１０が形成される。さらに、前記低比重ブロック層１０の傾斜した側面及び上面を覆うように高比重材料として、ここでは高比重ブロック２１が海面ＳＳから突出される所要の幅及び高さにまで積み上げられて高比重ブロック層２０が形成され、目的とする防波堤１００が構築される。すなわち、前記防波堤１００は、低比重ブロック１１で構成される低比重ブロック層１０と、前記低比重ブロック層１０の表面を覆う高比重ブロック２１で構成される高比重ブロック層２０との二層構造の防波堤として形成されていることになる。
【００１２】
前記各ブロック１１，２１の形状は後述する形状に限定されるものではないが、ここでは例えば、図２に示すように、外形状が概ね正方形をした八つの面の各中央にそれぞれ直交する凹溝Ｔが形成された立方体として形成される。このような形状では、図には示していないフォークリフトのフォークを対向する面の凹溝Ｔに差し入れることで、ブロック１１，２１の搬送を容易に行うことができ、海域での積み上げ作業を行う作業船舶への搭載作業を容易なものとする。また、海域に積み上げたときには、各ブロック１１，２１の各凹溝Ｔが相互に係わり合うことで、波力によっても移動され難い構築物を積み上げることが可能になる。
【００１３】
また、前記低比重ブロック１１及び高比重ブロック２１は同一形状のブロックとして製造されてもよく、高い波浪に対してブロック相互が噛み合い、安定する形状の異形消波ブロックが好ましい。同一形状であれば、ブロックを構成する材料の比重を相違させることでブロックの重量が相違される。すなわち、この実施形態では詳細を後述するように、前記低比重ブロック層１０を形成している低比重ブロック１１は、比重が１．８程度の低比重硬化体ブロックが用いられる。また、前記高比重ブロック層２０を形成している高比重ブロック２１は、比重が２．３程度の普通コンクリートブロックや比重が２．８程度の高比重硬化体ブロックが用いられる。あるいは自然石が用いられる。
【００１４】
すなわち、前記低比重ブロック１１としての低比重硬化体ブロックは、ここでは産業副産物をリサイクル利用して製造されたものが用いられる。例えば、産業副産物として火力発電所等で石炭を燃焼したときに発生する石炭灰を用いた石炭灰コンクリートと称される石炭灰硬化体で構成されるブロックがある。この石炭灰硬化体については既に広く知られているのでここでは詳細な説明は省略するが、例えば、特開平１０−３２３８２０号公報に記載のように、セメントと、多量の石炭灰と、海水又は真水等の水とを主材料とし、これらに所要の混和材を加えた上で練り混ぜて混練物を生成し、かつ振動を加えることにより締め固めることにより、前述のように比重の低い石炭灰硬化体のブロックが製造される。また、前記高比重ブロック２１としての高比重硬化体ブロックについてもほぼ同じであるが、前記材料に加えて金属スラグ等の重量骨材を加えることで前述のように比重の高い硬化体ブロックが製造される。特に、この重量骨材とセメントとの割合を適宜に調整することで、任意の比重の硬化体ブロックを容易に得ることが可能である。
【００１５】
なお、図３に同じ圧縮強度のコンクリートを形成した場合の普通コンクリート、低比重の石炭灰硬化体（石炭灰コンクリート）、高比重の金属スラグ等を混合した石炭灰硬化体（石炭灰コンクリート）の配合比較を示している。普通コンクリートにおける粗骨材及び細骨材はそれぞれ砂利石や砂である。この比較から判るように、石炭灰硬化体ではセメント量が普通コンクリートよりも少なく、しかも骨材としての砂利石や砂に代えて産業副産物の石炭灰を使用しているため、低コストに製造することが可能である。
【００１６】
また、石炭灰を利用した各石炭灰硬化体で構成される前記低比重及び高比重の各石炭灰硬化体ブロックは、防波堤として使用するのに十分な耐久性、強度特性を備えることは既に実証されており、またその安全性についても保証されている。さらに、これまでは廃棄するしかなかった石炭灰や金属スラグをリサイクル利用することで環境に優しい硬化体ブロック、ないしこれを用いた防波堤が構築できるとともに、副産物利用であるために材料費がほとんどかからないことから経済性に優れていることも明らかである。特に、石炭灰や金属スラグ等の産業副産物は火力発電所や製鉄所等から大量に発生するため、従来では利用されないものが多く、投棄されることにより浅海域の藻場や干潟などの水質浄化、生物生産に必要とされる環境を破壊する要因となっていた。しかし、防波堤のような波浪制御構築物への利用が実現されることで、このような環境破壊を低減する上で極めて有用なものとなる。
【００１７】
このように構築された防波堤１００は、体積のほぼ１／２を占める高比重ブロック層２０がこれまでと同様な高比重の高比重ブロック２１で構成され、他の１／２を占める低比重ブロック層１０がこれまでよりも低比重の低比重ブロック１１で構成されているため、従来と同じ規模の防波堤を構築した場合には防波堤１００の全重量が低減でき、したがって単位面積当たりの重量を低減することが可能になる。そのため、波により繰り返し起こる間隙水圧の変動によって生じる振動で砂質の海底地盤ＳＢが液状化し難くなり、また液状化した場合でも、防波堤全体の比重は当該海底地盤ＳＢの砂の比重よりも顕著に大きなものではないため、防波堤１００を構成する各ブロック１１，２１が砂質地盤に沈下、埋没することが抑制される。これにより、経時的に防波堤の天端高さが低下することが抑制され、その防波効果や消波効果を長期間にわたって確保することが可能になり、従来に比較して管理を簡易化し、経済的にも有利なものになる。
【００１８】
その一方で、構築された防波堤１００の高比重ブロック層２０は高比重の重量ブロック２１で構成されているため、波によってブロックが移動されるようなこともなく、従来の防波堤と同等な強度及び耐久性が得られる。また、高比重ブロック層２０の高比重の高比重ブロック２１で低比重ブロック層１０の低比重ブロック１１を押さえ込んでいるため、低比重ブロック層１０にまで波の影響がおよぶことは少なく、低比重ブロック１１が波によって移動されるようなこともない。
【００１９】
図４は本発明を人工リーフに適用した第２の実施形態の断面図である。ここでは海岸の前面海域の砂質の海底地盤ＳＢにマウンドは設けてはおらず、当該海底地盤ＳＢ上に直接人工リーフ２００を構築している。海底地盤上ＳＢに低比重ブロック１１が積み上げられ、構築しようとする人工リーフの幅寸法及び天端高さの８０％程度の幅及び高さの低比重ブロック層１０が形成される。なお、この幅及び高さの割合は人工リーフの幅寸法や天端高さが高くなればこれに伴って大きくすることが可能である。さらに、前記低比重ブロック層１０上に高比重ブロック２１が所要の幅及び高さにまで積み上げられて高比重ブロック層２０が形成され、目的とする人工リーフ２００が構築される。なお、一般には人工リーフの天端高さは海面ＳＳよりも０．５〜１ｍ程度の深さだけ低い位置に設定され、人工リーフの天端幅はその海域の設計有義波長の１／３〜２／３の長さになるように形成される。これにより、第１の実施形態と同様に、低比重ブロック１１で構成される低比重ブロック層１０と、この低比重ブロック層１０の表面を覆う高比重ブロック２１で構成される高比重ブロック層２０との二層構造の人工リーフ２００として構築されることになる。
【００２０】
前記低比重ブロック１１と高比重ブロック２１は第１の実施形態と同様なものが用いられており、低比重ブロック１１は低比重の硬化体ブロック、特に産業副産物である石炭灰を利用した石炭灰硬化体が用いられる。あるいは、低比重の自然石が用いられる。また、高比重ブロック２１は同様に石炭灰に金属スラグ等を混合した高比重の石炭灰硬化体、あるいは普通コンクリートからなるブロックや自然石が用いられる。
【００２１】
このように構築された人工リーフ２００は、体積のほぼ１／３が高比重ブロック２１で構成され、他の２／３が低比重ブロック１１で構成されることになる。これにより、人工リーフ２００の全重量が従来よりも低減でき、その単位面積当たりの重量を低減することが可能になる。そのため、波により繰り返し起こる間隙水圧の変動によって生じる振動で砂質の海底地盤ＳＢが液状化し難くなり、また液状化した場合でも、人工リーフ全体の比重は当該海底地盤ＳＢの砂の比重よりも顕著に大きなものではないため、人工リーフを構成する各ブロック１１，２１が砂質地盤に沈下、埋没することが抑制される。これにより、人工リーフ２００の天端高さが経時的に低下することが抑制され、その消波効果を長期間にわたって確保することが可能になり、従来に比較して管理を簡易化し、経済的にも有利なものになる。
【００２２】
また、構築された人工リーフ２００の高比重ブロック層２０は高比重ブロック２１で構成されているため、波によってブロックが移動されるようなこともなく、従来の人工リーフと同等な強度及び耐久性が得られる。また、高比重ブロック層２０の高比重ブロック２１で低比重ブロック層１０の低比重ブロック１１を押さえ込んでいるため、低比重ブロック層１０にまで波の影響がおよぶことは少なく、低比重ブロックが波によって移動されることもない。さらに、人工リーフ２００は海面ＳＳ上に突出されないため、これまでの離岸堤、潜堤、消波堤のように海岸からの景観が損なわれることもない。また、人工リーフ２００は常時海面下にあるため、藻場を造成することが可能であり、ＣＯ２  の海中における固定につながり、漁場としての利用も可能になる。
【００２３】
図５は従来構築された消波堤から図４に示したような人工リーフを構築する方法を説明するための工程図である。図５（ａ）は従来の工法によって構築された消波堤１００Ａであり、図６（ａ）に示したと同様に海底地盤ＳＢ上にマウンド１を形成し、その上に高比重ブロック２１を積み上げて消波堤１００Ａを構築する構造を示している。このような消波堤１００Ａに代えて図４に示したと同様な人工リーフを構築するために、図５（ｂ）に示すように、消波堤１００Ａよりも沖側の所要領域の海底地盤ＳＢ上に目的とする人工リーフの幅寸法及び高さの８０％程度の幅及び高さに低比重ブロック１１を積み上げ、低比重ブロック層１０を形成する。このとき、海岸側では消波堤１００Ａを軽量ブロック１１を積み上げる際のストッパとして利用することで低比重ブロック１１が海岸側に流れることが防止される。
【００２４】
次いで、図５（ｃ）に示すように、前記低比重ブロック層１０上に高比重ブロック２１を所要の幅及び高さにまで積み上げて高比重ブロック層２０を形成する。例えば、第２の実施形態の人工リーフと同様に、天端高さは海面よりも０．５〜１ｍ程度の深さだけ低い位置に設定され、天端幅はその海域の沖波波長の１／３〜３／２の長さになるように積み上げる。このとき、消波堤１００Ａに隣接する領域では高比重ブロックを積み上げてはいない。この積み上げない領域は、消波堤１００Ａの幅及び高さによって、換言すれば消波堤１００Ａを構成している高比重ブロック２１の個数等によって適宜に設定する。しかる上で、図５（ｄ）に示すように、消波堤１００Ａを構成している高比重ブロック２１のうち、目的とする人工リーフの高さよりも高い部分、この例では海面ＳＳよりも０．５〜１ｍ程度深い位置の高さより上部領域を構成している高比重ブロック２１を取り崩し、取り崩した高比重ブロック２１を前記低比重ブロック層１０上の前記した積み上げない領域に積み直し、高比重ブロック層２１Ａを形成する。これにより消波堤１００Ａのうち残された部分及び積み直した部分の高比重ブロック２１からなる高比重ブロック層２０Ａが、先に高比重ブロック２１を積み上げて形成した高比重ブロック層２０と一体となって低比重ブロック層１０を覆うことになり、目的とする人工リーフ２００が構築される。
【００２５】
このように、既存の防波堤１００Ａを全て取り崩すのではなく、上部領域のみを取り崩し、下部領域は積み上げてある高比重ブロック２１をそのまま活かした状態で人工リーフ２００を構築することが可能であるため、防波堤とは全く別個に人工リーフを構築する場合に比較して作業工程数を低減することが可能になる。また、前述のように低比重ブロック１１を積み上げる際に既存の消波堤１００Ａをストッパとすることで、低比重ブロック１１が海岸方向に流されることがなく、しかも消波堤１００Ａをガイドとして消波堤１００Ａに沿った領域に正確に人工リーフ２００を構築することが可能になる。
【００２６】
なお、構築された人工リーフ２００は、第２の実施形態の人工リーフと同様に、低比重ブロック１１で構成される低比重ブロック層１０と、前記低比重ブロック層１０の表面を覆う高比重ブロック２１で構成される高比重ブロック層２０との二層構造の人工リーフとして形成されるため、砂質の海底地盤が液状化した場合でも人工リーフ２００を構成する各ブロック１１，２１が海底地盤に沈下、埋没することが抑制され、人工リーフにおける消波効果を長期間にわたって確保することが可能になり、管理を簡易化し、経済的にも有利なものになる。また、高比重ブロック層２０の高比重ブロック２１により、従来の人工リーフと同等な強度及び耐久性が得られる。さらに、防波堤１００Ａを人工リーフ２００に改修したことで、海岸からの景観が改善されるとともに、人工リーフ２００によって藻場を造成し、ＣＯ２  の海中における固定につながり、漁場としての利用も可能になる。
【００２７】
ここで前記各実施形態では、高比重ブロックとして高比重の石炭灰等に金属スラグを混合した石炭灰硬化体ブロックを用いた例を示したが、従来から用いられている普通コンクリート、あるいは自然石を用いることが可能であることは言うまでもない。また、低比重ブロックは、前記実施形態の石炭灰硬化体に限られるものではなく、石炭灰の他の焼却灰等の微粉体を用いた微粉体硬化体を用いることも可能である。また、硬化材はセメントの他に石膏を用いることも可能であり、水は真水又は海水を用いることが可能である。
【００２８】
また、前記第３の実施形態では、消波堤の沖側に人工リーフを構築した例を示したが、消波堤の海岸側に人工リーフを構築する場合でも同様な手法を採用することができる。あるいは、消波堤を挟んだ沖側と海岸側の両側領域に人工リーフを構築することも可能であり、その場合においても同様な手法を採用することが可能である。また、人工リーフの下側に捨石等によるマウンドを形成することも可能である。
【００２９】
さらに、前記各実施形態では、相対的に比重の小さい低比重ブロック層と、相対的に比重の大きな高比重ブロック層とからなる二層構造の例を示したが、これら低比重ブロック層と高比重ブロック層との間にさらに比重の異なる中間比重ブロック層を配設した構成としてもよい。この中間比重ブロック層は一層、あるいは複数層であってもよく、また場合によっては低比重ブロック層の側面にのみ、あるいは上面にのみ配設する構成であってもよい。このような中間比重ブロック層を設けることで、波浪制御構築体の全体の重量（比重）を任意に調整する上で有利なものになる。
【００３０】
【発明の効果】
以上説明したように本発明の波浪制御構築物は、高比重層が高比重のブロック又は石であり、低比重層がそれよりも低比重のブロックで構成されているため、高比重のブロック又は石のみで構成されている波浪制御構築物と同じ規模の波浪制御構築物を構築した場合には、当該構築物の全重量が低減でき、海底地盤における単位面積当たりの重量を低減することができるので、海底地盤での液状化が発生し難くなり、また液状化した場合でも波浪制御構築物が砂質地盤に沈下、埋没することが抑制される。また、波浪制御構築物の表面はこれまでと同様に高比重のブロック又は石で構成されているため、波によってブロックや石が移動されるようなこともなく、従来の波浪構築物と同等な強度及び耐久性が得られる。
【００３１】
また、本発明の構築方法では、既存の波浪制御構築物に代えて別な構成の新たな波浪制御構築物を構築する際に、既存の波浪制御構築物を利用して低比重層を形成し、高比重層を形成する際には既存の波浪制御構築物の高比重のブロックや石を利用するため、新たな波浪制御構築物を構築する際の作業工程数を低減し、かつ所定の位置に安定した状態で新たな波浪制御構築物を構築することが可能になる。
【図面の簡単な説明】
【図１】本発明を防波堤に適用した第１の実施形態の断面図である。
【図２】本発明において使用する硬化体ブロックの外観図である。
【図３】普通コンクリート、低比重の石炭灰硬化体、金属スラグ等を混合した高比重の石炭灰硬化体の配合を比較する図である。
【図４】本発明を人工リーフに適用した第２の実施形態の断面図である。
【図５】既存の防波堤から人工リーフを構築する工程を示す断面図である。
【図６】従来の防波堤と人工リーフを説明するための断面図である。
【符号の説明】
１  マウンド
２  捨石
１０  低比重ブロック層
１１  低比重ブロック
２０  高比重ブロック層
２１  高比重ブロック
２２  コンクリートブロック等
１００，１００Ａ  防波堤
２００  人工リーフ
ＳＢ  海底地盤
ＳＳ  海面
Ｔ  凹溝
【図１】
2004162451.tif 000003
【図２】
2004162451.tif 000004
【図３】
2004162451.tif 000005
【図４】
2004162451.tif 000006
【図５】
2004162451.tif 000007
【図６】
2004162451.tif 000008